(57)【要約】【課題】モータの損傷を防止しつつ、火災時においてはポンプの駆動を優先できるポンプ装置、制御盤及び制御基板を提供すること。【解決手段】ポンプ装置１は、モータ２２及びポンプ２１を有し、末端又は中途部において閉鎖される配管１３、５０１に接続されるポンプユニット１２と、モータ２２に供給する電流値を過電流と判断する閾値を記憶する記憶部４３と、モータ２２に通電した電流値を検出するとともに、検出した電流値と閾値とを比較し、検出した電流値が閾値以上である場合には、モータ２２への通電を停止する保護機能を有し、消火設備１００に設けられた火災判断機器３０１からポンプユニット１２の起動信号を受信した場合には、検出した電流値が閾値以上である場合であっても、モータ２２へ通電を行う制御部４１と、を備える。【選択図】      図２
2020133473.tif 000002
【特許請求の範囲】
【請求項１】
モータ及びポンプを有し、末端又は中途部において閉鎖される配管に接続されるポンプユニットと、
前記モータに供給する電流値を過電流と判断する閾値を記憶する記憶部と、
前記モータに通電した電流値を検出するとともに、検出した前記電流値と前記閾値とを比較し、前記検出した電流値が前記閾値を超えた場合には、前記モータへの通電を停止する保護機能を有し、消火設備に設けられた火災判断機器から前記ポンプユニットの起動信号を受信した場合には、前記検出した電流値が前記閾値以上である場合であっても、前記モータへ通電を行う制御部と、
を備えるポンプ装置。
【請求項２】
前記記憶部は、電流値の異なる複数の前記閾値を含み、前記複数の閾値により異なる警告を行う、請求項１に記載のポンプ装置。
【請求項３】
前記制御部は、前記検出した前記電流値が所定の前記閾値を超えた場合には前記保護機能として前記モータへの通電を停止し、前記検出した前記電流値が前記所定の閾値未満であり且つ前記所定の閾値よりも低い前記閾値を超えた場合には前記モータへの通電を維持する、請求項２に記載のポンプ装置。
【請求項４】
前記制御部は、前記火災判断機器から前記起動信号を受信し、且つ前記検出した電流値が前記閾値を超えた場合に、前記モータへの通電及び停止を繰り返し行い、前記モータへの通電及び停止が所定の回数を超えるか、又は前記検出した電流値が前記閾値を下回る場合に前記モータへの通電を継続する、請求項１に記載のポンプ装置。
【請求項５】
前記火災判断機器は複数設けられるとともに、少なくとも２種類以上に分類され
前記制御部は、前記少なくとも２種類以上に分類された複数の前記火災判断機器のうち、所定の種類の前記火災判断機器から受信した前記起動信号により前記ポンプユニットを起動した場合であり、且つ前記検出した前記電流値が前記閾値を超えた場合に、前記モータへの通電を停止すると共に、外部へ警告を行う、請求項１に記載のポンプ装置。
【請求項６】
前記警告は、前記起動信号を送った前記火災判断機器の情報を含むことを特徴とする、請求項５に記載のポンプ装置。
【請求項７】
前記記憶部は、異なる複数の圧力の前記閾値を更に有し、
前記制御部は、圧力検出器が検出した圧力が最も低い前記閾値を下回った場合に前記モータへ通電し、それ以外の前記閾値を下回った場合には前記モータへ通電をせず外部へ警告を行う、請求項１に記載のポンプ装置。
【請求項８】
前記制御部は、前記火災判断機器からの前記起動信号を受信し、且つ前記検出した電流値が前記閾値を超えた場合に、前記モータへの通電及び停止を繰り返し行い、前記モータへの通電及び停止が所定の回数を超えた場合に前記モータへの通電を停止し、前記検出した電流値が前記閾値を下回る場合に前記モータへの通電を継続する、請求項５に記載のポンプ装置。
【請求項９】
圧力検出器が複数設けられ、
前記制御部は、一部の前記圧力検出器からのみ前記制御部へ前記起動信号が送られた場合に前記モータへの通電をせず前記外部へ警告を行い、全ての前記圧力検出器から前記制御部へ前記起動信号が送られた場合に前記モータへの通電を行う、請求項５に記載のポンプ装置。
【請求項１０】
通信部を更に有し、
前記制御部は、前記モータへ通電しなかった情報を前記外部へ送信する、請求項７又は請求項９に記載のポンプ装置。
【請求項１１】
通信部を更に有し、
前記制御部は、前記火災判断機器から前記起動信号を受信した情報を外部へ送信する、請求項１に記載のポンプ装置。
【請求項１２】
前記記憶部は、異なる複数の圧力の前記閾値を更に有し、
前記制御部は、前記消火設備に設けられた圧力検出器が検出した圧力が、所定の圧力の前記閾値を下回った場合に前記モータへ通電し、前記検出した圧力が前記所定の閾値よりも高い前記閾値を超えた場合に前記モータへの通電を停止する、請求項１に記載のポンプ装置。
【請求項１３】
前記記憶部は、複数の圧力の前記閾値を更に有し、
前記制御部は、前記消火設備に設けられた圧力検出器が検出した圧力が、所定の前記閾値を下回った場合に前記モータへ通電し、前記圧力が前記閾値を下回った状態が、あらかじめ前記記憶部に記憶された時間の閾値以上の時間継続された場合、若しくは電気的に接続したタイマーがあらかじめ設定した時間をカウントした場合に、前記モータへの通電を停止する、請求項１に記載のポンプ装置。
【請求項１４】
前記制御部は、前記圧力検出器から受信した前記起動信号により前記ポンプユニットを起動した後、前記検出した電流値が前記閾値以上であり、且つ前記検出した圧力が所定の圧力の前記閾値以上である場合に、前記モータへの通電を停止する、請求項１２又は請求項１３に記載のポンプ装置。
【請求項１５】
前記制御部は、前記圧力検出器から受信した前記起動信号により前記ポンプユニットを起動した後、前記消火設備に設けられた流水検知器から前記起動信号を受信した場合、前記検出した圧力が所定の圧力の前記閾値以上であれば、前記流水検知器からの前記起動信号は受け付けない、請求項１２又は請求項１３に記載のポンプ装置。
【請求項１６】
前記制御部は、複数の端子を持つ端子部を有し、
前記火災判断機器を少なくとも２種類以上の種類に分類し、前記種類毎に前記火災判断機器を異なる前記端子へ繋げる、請求項１に記載のポンプ装置。
【請求項１７】
前記制御部は、端子部若しくは通信部の少なくとも１つ以上を有し、
前記制御部は、前記火災判断機器から前記起動信号を受信した場合に、前記モータへの通電を行い、外部から停止信号を受信した場合に、前記モータへの通電を停止する、請求項１に記載のポンプ装置。
【請求項１８】
前記制御部は、前記検出した前記電流値が前記閾値を超えており、且つ外部から停止信号を受信した場合に、前記モータへの通電を停止し、前記検出した前記電流値が前記閾値を超えておらず、且つ外部から停止信号を受信した場合に、前記モータへの通電を継続する、請求項１７に記載のポンプ装置。
【請求項１９】
モータ及びポンプを有し、末端又は中途部において閉鎖される配管に接続されるポンプユニットの前記モータに供給する電流値を過電流と判断する閾値を記憶する記憶部と、
前記モータに通電した電流値を検出するとともに、検出した前記電流値と前記閾値とを比較し、前記検出した前記電流値が前記閾値以上である場合には、前記モータへの通電を停止する保護機能を有し、消火設備に設けられた火災判断機器から前記ポンプユニットの起動信号を受信した場合には、前記検出した前記電流値が前記閾値以上である場合であっても、前記モータへ通電を行う制御部と、
を備える制御盤。
【請求項２０】
モータ及びポンプを有し、末端又は中途部において閉鎖される配管に接続されるポンプユニットの前記モータに供給する電流値を過電流と判断する閾値を記憶する記憶部と、
前記モータに通電した電流値を検出するとともに、検出した前記電流値と前記閾値とを比較し、前記検出した前記電流値が前記閾値以上である場合には、前記モータへの通電を停止する保護機能を有し、消火設備に設けられた火災判断機器から前記ポンプユニットの起動信号を受信した場合には、前記検出した前記電流値が前記閾値以上である場合であっても、前記モータへ通電を行う制御部と、
前記記憶部及び前記制御部が実装された基板と、
を備える制御基板。
【発明の詳細な説明】
【技術分野】
【０００１】
本発明は、建造物に用いられるポンプ装置、制御盤及び制御基板に関する。
【背景技術】
【０００２】
従前から、建造物に給水するポンプ装置が知られている。このようなポンプ装置として、例えば、火災時にスプリンクラー等へ水を供給する消火ポンプ（例えば、特許文献１参照）が知られている。
【０００３】
このようなポンプ装置は、停止時間が長いと、ポンプの金属材料により形成された部品に錆が生じる虞や、水中に含まれるカルシウム、マグネシウム及びシリカ等の無機塩類化合物が析出したスケールがポンプ内に生じる虞がある。これら錆やスケールがポンプ内に生じると、インペラや回転軸等の回転体がケーシング等の固定体に固着し、回転が阻害される虞がある。この状態でポンプ装置を駆動すると、モータに過電流が生じる虞がある。
【０００４】
このため、回転体が固着することを防止し、ポンプ装置の故障等を検出する等のために、定期的な点検運転や維持運転が求められる。
【先行技術文献】
【特許文献】
【０００５】
【特許文献１】特許第６４４２３３８号公報
【発明の概要】
【発明が解決しようとする課題】
【０００６】
しかしながら、定期点検や維持運転を行った後に、次回の定期点検や維持運転を行うまでの期間が長いと、ポンプ装置の異常の発見が遅れることから、火災時にポンプ装置が運転できない虞がある。また、モータに過電流が生じた場合に通電を続けると、モータの損傷や発火の虞もある。しかしながら、火災時においては、モータに通電を行い、できる限りポンプを駆動する必要がある、という問題もある。
【０００７】
そこで本発明は、モータの損傷を防止しつつ、火災時においてはポンプの駆動を優先できるポンプ装置、制御基板及び制御盤を提供することを目的としている。
【課題を解決するための手段】
【０００８】
本発明の一態様によれば、ポンプ装置は、モータ及びポンプを有し、末端又は中途部において閉鎖される配管に接続されるポンプユニットと、前記モータに供給する電流値を過電流と判断する閾値を記憶する記憶部と、前記モータに通電した電流値を検出するとともに、検出した前記電流値と前記閾値とを比較し、前記検出した前記電流値が前記閾値を超えていた場合には、前記モータへの通電を停止する保護機能を有し、消火設備に設けられた火災判断機器から前記ポンプユニットの起動信号を受信した場合には、前記検出した前記電流値が前記閾値以上である場合であっても、前記モータへ通電を行う制御部と、を備える。
【０００９】
本発明の一態様によれば、制御盤は、モータ及びポンプを有し、末端又は中途部において閉鎖される配管に接続されるポンプユニットの前記モータに供給する電流値を過電流と判断する閾値を記憶する記憶部と、前記モータに通電した電流値を検出するとともに、検出した前記電流値と前記閾値とを比較し、前記検出した前記電流値が前記閾値以上である場合には、前記モータへの通電を停止する保護機能を有し、消火設備に設けられた火災判断機器から前記ポンプユニットの起動信号を受信した場合には、前記検出した前記電流値が前記閾値以上である場合であっても、前記モータへ通電を行う制御部と、を備える。
【００１０】
本発明の一態様によれば、制御基板は、モータ及びポンプを有し、末端又は中途部において閉鎖される配管に接続されるポンプユニットの前記モータに供給する電流値を過電流と判断する閾値を記憶する記憶部と、前記モータに通電した電流値を検出するとともに、検出した前記電流値と前記閾値とを比較し、前記検出した前記電流値が前記閾値以上である場合には、前記モータへの通電を停止する保護機能を有し、消火設備に設けられた火災判断機器から前記ポンプユニットの起動信号を受信した場合には、前記検出した前記電流値が前記閾値以上である場合であっても、前記モータへ通電を行う制御部と、前記記憶部及び前記制御部が実装された基板と、を備える。
【発明の効果】
【００１１】
本発明によれば、モータの損傷を防止しつつ、火災時においてはポンプの駆動を優先できるポンプ装置、制御基板及び制御盤を提供することができる。
【図面の簡単な説明】
【００１２】
【図１】本発明の一実施形態に係る給水設備の構成を示す説明図。
【図２】同給水設備に用いられるポンプ装置の構成を示す側面図。
【図３】同ポンプ装置に用いられる制御盤の構成を示す正面図。
【図４】同制御盤の内部構成を示す正面図。
【図５】本発明の変形例に係るポンプ装置の構成を示す側面図。
【図６】本発明の変形例に係るポンプ装置の構成を示す側面図。
【発明を実施するための形態】
【００１３】
（一実施形態）
以下、本発明の一実施形態に係るポンプ装置１の構成を、図１乃至図４を用いて説明する。なお、本実施形態においては、ポンプ装置１は、給水設備として消火設備１００に用いられる消火ポンプ装置の例を用いて説明する。
【００１４】
図１は、本発明の一実施形態に係る消火設備１００の構成を示す説明図、図２は、ポンプ装置１の構成を示す側面図、図３及び図４は、ポンプ装置１に用いられる制御盤１８の外観及び内部の構成それぞれ示す正面図である。
【００１５】
図１に示すように、ポンプ装置１は、建造物に設けられた消火設備１００に用いられる。まず、消火設備１００の構成について説明する。図１に示すように、消火設備１００は、ポンプ装置１と、補助加圧装置１０１と、放水手段２０１と、火災判断機器３０１と、給水源４０１と、を備えている。
【００１６】
補助加圧装置１０１は、放水手段２０１へ接続される配管５０１内の圧力が低下したときに、ポンプ装置１が始動する前に補助加圧装置１０１が自動運転し、配管５０１内の圧力を回復させるポンプ装置である。
【００１７】
補助加圧装置１０１は、例えば、補助ポンプユニット１１１と、補助ポンプユニット１１１の二次側に設けられた圧力タンク１１２と、圧力タンク１１２に接続された圧力検出器１１３と、呼水槽１１４と、制御盤１１５と、を備えている。
【００１８】
補助ポンプユニット１１１は、補助モータ１２１と、補助モータ１２１により駆動される補助ポンプ１２２と、補助ポンプ１２２に接続される連結管１２３と、を備えている。補助モータ１２１は、制御盤１１５に電気的に接続される。補助ポンプ１２２は、一次側が呼水槽１１４に接続され、二次側が連結管１２３に接続される。連結管１２３は、配管５０１に接続される。より具体的には、連結管１２３は、配管５０１であって、且つ、後述する流水検知器３１４の一次側に接続される。
【００１９】
圧力タンク１１２は、連結管１２３に設けられる。
【００２０】
圧力検出器１１３は、圧力タンク１１２内の圧力を検出する。圧力検出器１１３は、電気的に制御盤１１５に接続される。圧力検出器１１３は、検出した圧力値の信号を制御盤１１５に送信する。
【００２１】
呼水槽１１４は、補助ポンプユニット１１１の水源である。
【００２２】
制御盤１１５は、例えば、記憶部１３１及び制御部１３２を備える。記憶部１３１は、例えば、補助ポンプユニット１１１を起動する補助起動圧力、及び、補助ポンプユニット１１１を停止する補助停止圧力が記憶されている。補助起動圧力は、ポンプ装置１のポンプユニット１２の起動圧力よりも高く設定される。また、補助停止圧力は、ポンプ装置１の締切圧力よりも低く設定される。
【００２３】
制御部１３２は、圧力検出器１１３で検出した圧力が記憶部１３１に記憶された起動圧力以下と判断すると、補助ポンプユニット１１１を起動する。また、制御部１３２は、補助ポンプユニット１１１の運転中に圧力検出器１１３で検出した圧力が記憶部１３１に記憶された停止圧力以上と判断すると、補助ポンプユニット１１１を停止する。
【００２４】
放水手段２０１は、例えば、建造物のフロア毎に設けられた複数の放水器や、他の放水装置に接続される配管等である。放水手段２０１は、火災時に開放されることで消火のために放水を行う。具体例として、放水手段２０１は、例えば複数のスプリンクラー２１１と、消火栓２１２と、連結送水管２１３と、を含む。
【００２５】
スプリンクラー２１１は、配管５０１から分岐して接続され、各フロアに配設された配設管２１１ａと、配設管２１１ａに設けられたフロア毎に複数設けられたスプリンクラヘッド２１１ｂと、を備える。また、スプリンクラー２１１は、配設管２１１ａ及びスプリンクラヘッド２１１ｂの間に水量（流量）及び圧力の検出が可能な検出器を備えていてもよい。
【００２６】
スプリンクラヘッド２１１ｂは、例えば、火災時の熱により開口し放水することで、建造物のフロアに放水可能な放水口を有している。また、スプリンクラヘッド２１１ｂは、例えば、同一フロアに設けられたスプリンクラヘッド２１１ｂのいずれかが開となり放水した場合に、同一フロア内に設けられた他のスプリンクラヘッド２１１ｂも開となり連動して放水可能に形成されている。
【００２７】
消火栓２１２は、建造物の屋内及び屋外の少なくとも一方に設けられる。消火栓２１２は、例えば、屋内消火栓である。消火栓２１２は、例えば、消火栓箱２１２ａと、消火栓箱２１２ａに収容され、配管５０１に接続されるホース２１２ｂと、ホース２１２ｂに設けられたノズル２１２ｃと、ノズル２１２ｃに設けられた開閉弁と、を備えている。また、ホース２１２ｂと配管５０１との間には、開閉弁が設けられた放水口が設けられ、この放水口にホース２１２ｂが接続されることで、配管５０１にホース２１２ｂが流体的に接続される。
【００２８】
連結送水管２１３は、例えば、建造物の屋内又は屋外に設けられる。連結送水管２１３は、いわゆる消防隊専用栓である。連結送水管２１３は、例えば、屋内に設けられる湿式の差込式放水口である。
【００２９】
火災判断機器３０１は、ポンプ装置１を起動する起動装置である。例えば、火災判断機器３０１は、火災報知器３１１と、消火栓用手動起動装置３１２と、遠隔起動装置３１３と、流水検知器３１４と、消火栓用連動装置３１５と、圧力検出器３３と、を含む。火災判断機器３０１は、例えば、信号線９９を介して制御盤１８に電気的に接続される。
【００３０】
火災報知器３１１は、例えば、煙や熱を感知し、制御盤１８にポンプユニット１２の起動信号を発報する。
【００３１】
消火栓用手動起動装置３１２は、例えば、消火栓２１２の消火栓箱２１２ａに設けられる。消火栓用手動起動装置３１２は、手動により操作されることで、制御盤１８にポンプユニット１２の起動信号を発報する。
【００３２】
遠隔起動装置３１３は、例えば、防災センター等からの遠隔操作されることで、制御盤１８に、ポンプユニット１２の起動信号を発報する。
【００３３】
流水検知器３１４は、配管５０１内に所定の流量又は流速の水が流れた場合に、内部に設けられたスイッチが作動し、制御盤１８にポンプユニット１２の起動信号を発報する。流水検知器３１４の内部に設けられたスイッチとは、例えば、プッシュ式のマイクロスイッチや、パドルスイッチや、流水検知器３１４の内部に設けられた弁の二次側であり且つ流水検知器３１４に設けられた圧力スイッチである。
【００３４】
消火栓用連動装置３１５は、例えば、消火栓２１２の消火栓箱２１２ａに設けられる。消火栓用連動装置３１５は、例えば、ホース２１２ｂを手動で延ばした場合に、制御盤１８にポンプユニット１２の起動信号を発報する。
【００３５】
給水源４０１は、消火用の水槽である。給水源４０１は、ポンプ装置１の一次側に設けられる。
【００３６】
配管５０１は、ポンプ装置１の二次側に設けられ、スプリンクラー２１１、消火栓２１２及び連結送水管２１３に接続される。配管５０１には、流水検知器３１４が設けられる。配管５０１は、末端又は中途部においてスプリンクラー２１１、消火栓２１２及び連結送水管２１３により閉鎖される。
【００３７】
図１及び図２に示すように、ポンプ装置１は、ベース１１と、ポンプユニット１２と、吐出管１３と、圧力タンク１４と、自動開閉弁１５と、温度検出器１６と、呼水槽１７と、制御盤１８と、を備えている。
【００３８】
ベース１１は、建造物のポンプ装置１の設置面に固定される。ベース１１は、その上面にポンプユニット１２、圧力タンク１４、呼水槽１７及び制御盤１８を固定する。
【００３９】
ポンプユニット１２は、ポンプ２１及びモータ２２を備えている。ポンプ２１は、吸込口２１ａ及び吐出口２１ｂを備えている。ポンプ２１は、その内部に回転軸に固定されたインペラを収容する。ポンプ２１は、増圧した水を二次側に吐出する。
【００４０】
モータ２２は、回転軸を回転可能に形成されている。モータ２２は、回転軸を回転することで、ポンプ２１のインペラを駆動する。モータ２２は、信号線９９を介して電気的に制御盤１８に接続される。
【００４１】
吐出管１３は、一端がポンプ２１の吐出口２１ｂに接続されるとともに、他端が配管５０１に接続される。吐出管１３は、逆止弁１３ａ及び圧力検出器１３ｂを有する。圧力検出器１３ｂは、信号線９９を介して制御盤１８に接続されている。圧力検出器１３ｂは、吐出管１３内の圧力を検出し、制御盤１８に送信可能に形成されている。
【００４２】
圧力タンク１４は、タンク３１と、圧力計３２と、圧力検出器３３と、を備えている。タンク３１は、ポンプ２１から吐出された所定の圧力の水を貯留可能に形成されている。タンク３１は、例えば、吐出管１３に設けられる。圧力計３２は、タンク３１内の圧力を検出し、外部に表示可能に形成されている。圧力検出器３３は、信号線９９を介して制御盤１８に接続されている。圧力検出器３３は、タンク３１内の圧力を制御盤１８に送信可能に形成されている。
【００４３】
自動開閉弁１５は、例えば、ポンプユニット１２の二次側であって、且つ、流水検知器３１４の一次側に設けられ、ポンプユニット１２の二次側、且つ、流水検知器３１４の一次側に接続された分岐管１５ａを開閉する。ここで、分岐管１５ａは、例えば、排水口１５ｂ等に接続された排水管である。換言すると、自動開閉弁１５は、ポンプユニット１２の二次側の分岐管１５ａに設けられ、分岐管１５ａを開くことで、ポンプユニット１２の二次側の水を排水口１５ｂに排水する。
【００４４】
自動開閉弁１５は、信号線９９によって制御盤１８に電気的に接続される。自動開閉弁１５は、常時閉であり、制御盤１８からの信号によって開き、ポンプユニット１２の二次側及び配管５０１に存する水を排水口１５ｂに排水する。
【００４５】
温度検出器１６は、例えば、吐出管１３又は配管５０１に設けられる。温度検出器１６は、ポンプユニット１２の二次側のいずれかの配管１３、５０１内の水の温度、又は、いずれかの配管１３、５０１の表面温度を検出する。温度検出器１６は、信号線９９を介して制御盤１８に電気的に接続される。温度検出器１６は、検出した温度情報を制御盤１８に送信する。
【００４６】
呼水槽１７は、ポンプ２１に呼び水を供給可能に、配管１７ａを介してポンプ２１に接続される。また、呼水槽１７は、ポンプ２１の温度上昇を抑えるために、オリフィスが設けられ、ポンプ２１で増圧された水の一部を絞り、呼水槽１７に逃がす逃がし管１７ｂを有する。
【００４７】
制御盤１８は、内部に制御部４１を備えている。また、制御盤１８は、入力装置４２と、記憶部４３と、報知部４４と、通信部４５と、端子部４８と、を備えている。制御盤１８は、また、例えば、制御基板４６と、筐体４７と、を備えている。
【００４８】
制御基板４６は、例えば、一枚の基板４６ａに、制御部４１、記憶部４３、通信部４５及び端子部４８が実装されることで構成される。筐体４７は、内部に制御基板４６を収容するとともに、外面の一部に入力装置４２及び報知部４４を配置する。また、筐体４７は、内部に電源トランス、電流測定用変流器、電磁接触器、配線用遮断器等の複数の機器３８を収容する。
【００４９】
制御部４１は、信号線９９を介してモータ２２及び圧力検出器３３に接続される。制御部４１は、入力装置４２、記憶部４３、報知部４４及び通信部４５と、バスライン等の信号線９９を介して電気的に接続される。
【００５０】
制御部４１は、モータ２２を駆動可能に形成されている。制御部４１は、火災と判断したときに、モータ２２を駆動可能に形成されている。具体例として、制御部４１は、火災判断機器３０１から発報されたポンプユニット１２の起動信号を受信すると、記憶部４３に記憶されたプログラムに準じてモータ２２を駆動する。制御部４１は、モータ２２に通電したときの電流値を検出する機能を有する。
【００５１】
なお、火災判断機器３０１として用いられる圧力検出器３３と流水検知器３１４と消火栓用連動装置３１５とは、火災が発生していない場合においても制御盤１８へポンプユニット１２の起動信号を送る場合がある。例えば、圧力検出器３３は砂等の異物により検出部や検出部の一次側配管が目詰まりした場合に、検知部付近の圧力が徐々に低下し所定の圧力以下となり、制御盤１８へポンプユニット１２の起動信号を送る虞がある。例えば、圧力検出器３３は、ポンプユニット１２の二次側の配管から水が漏れていた場合に、圧力が徐々に低下し所定の圧力以下となり、制御盤１８へポンプユニット１２の起動信号を送る虞がある。例えば、圧力検出器３３は、圧力タンク１４に封入されている空気が水に溶け込んだ場合に、圧力が徐々に低下し所定の圧力以下となり、制御盤１８へポンプユニット１２の起動信号を送る虞がある。例えば、流水検知器３１４は、ポンプユニット１２の二次側の配管から水が漏れている場合に流水を検知し、制御盤１８へポンプユニット１２の起動信号を送る虞がある。例えば、流水検知器３１４は、補助加圧装置１０１の設定が不適切な場合に、補助加圧装置１０１が起動し流れる水量により流水を検知し、制御盤１８へポンプユニット１２の起動信号を送る虞がある。例えば、消火栓用連動装置３１５は、消火訓練等でホース２１２ｂを使用した後、消火栓箱２１２ａへの収納状態が悪い場合、ノズル２１２ｃが転落しホース２１２ｂが延びることによって制御盤１８へポンプユニット１２の起動信号を送る虞がある。
【００５２】
また、上記の様に火災が発生していないにも関わらず火災判断機器３０１により制御盤１８へポンプユニット１２の起動信号が発報された場合においても、ポンプ装置１は防災センター等へ「火災判断機器３０１により制御盤１８へポンプユニット１２の起動信号が発報された情報」を、端子部４８を介して送信する。即ち、防災センター等は火災が発生しているか否かはすぐに判断できず、情報を更に確認する必要がある。更に、前記送信と合わせて、火災発生を知らせるアラームが建物内に響き渡るため、火災時以外の火災判断機器３０１によるポンプユニット１２の起動は避ける必要がある。
【００５３】
制御部４１は、日付を管理可能なカレンダー機能及び時刻を管理可能な時計機能を有している。制御部４１は、ポンプユニット１２の駆動後に経過した時間をカウントするカウンタ機能を有している。制御部４１は、ポンプユニット１２の駆動停止後にカウンタ機能でカウントしたポンプユニット１２の停止時間の積算値、ポンプユニット１２の駆動後の前記経過時間、制御部４１及びモータ２２の通電時間の積算値、各点検運転において検出される検出値、電流や圧力等の閾値、モータ２２への通電及び停止の履歴、自動開閉弁の開閉履歴、外部の送信先情報等、を記憶部４３に記憶する機能を有している。
【００５４】
制御部４１は、ポンプユニット１２の異常発生時に、当該異常の情報を報知部４４に送信する機能を有している。制御部４１は、入力装置４２により入力された指示に基づいて、カウンタ機能でカウントした時間、過去のポンプユニット１２の駆動情報等の履歴情報を通信部４５に送信可能に形成されている。
【００５５】
入力装置４２は、日時及び指令等の情報を入力可能に形成されている。入力装置４２は、入力された情報を制御部４１に送信可能に形成されている。
【００５６】
記憶部４３には、例えば、ポンプユニット１２を起動する起動圧力、締切り運転時の締切揚程、並びに、火災発生時及び各点検運転におけるポンプユニット１２の制御プログラム等が記憶されている。記憶部４３は、制御部４１のカウンタ機能のカウンタメモリとして機能する。
【００５７】
また、記憶部４３には、モータ２２に通電したときに過電流と判断する電流値が閾値として記憶されている。例えば、閾値は、異なる電流値で複数記憶される。具体例として、閾値は、少なくとも第１閾値及び第２閾値を含む。
【００５８】
第１閾値は、第２閾値よりも低い電流値である。なお、複数の閾値として第１閾値及び第２閾値を含めて３以上の閾値が記憶部４３に記憶されている場合においては、第１閾値は、複数の閾値の中で、最も電流値が低い電流値に設定される。第１閾値は、モータ２２に通電し、ポンプユニット１２が定格運転及び締め切り運転したときにモータ２２に流れる電流値よりも高い電流値に設定される。例えば、第１閾値は、固着等の異常によって、想定されるポンプユニット１２の運転時に生じる電流値よりも高い過電流であって、且つ、当該過電流であっても、モータ２２の損傷や発火等の二次的異常が生じにくい又は略生じない電流値に設定される。具体例として、第１閾値は、正常時のモータ２２の定格運転及び締切り運転時に流れるモータ２２の電流値よりも高く、且つ、メーカで設定されるモータ２２の許容電流値以下に設定される。
【００５９】
第２閾値は、第１閾値よりも高い電流値であり、例えば、ユーザによる変更が不可に設定される。複数の閾値として第１閾値及び第２閾値を含めて３以上の閾値が記憶部４３に記憶されている場合においては、第２閾値は、複数の閾値の中で、最も電流値が高い電流値に設定される。第２閾値は、モータ２２に通電し、ポンプユニット１２が定格運転及び締め切り運転したときにモータ２２に流れる電流値よりも高い電流値に設定される。例えば、第２閾値は、複数の閾値の中で最もモータ２２の損傷や発火等の二次的異常が生じる虞のある電流値であり、具体例として、完全にポンプ２１の回転体が固着等によって回転できない異常時にモータ２２に生じる電流値である。
【００６０】
さらに、記憶部４３には、ポンプユニット１２の識別番号、形式、位置情報等のポンプ装置１の情報、及び、ポンプユニット１２の二次側の圧力が昇圧したときに警告を送信する外部に設けられたパーソナルコンピュータやタブレット端末等の外部端末９０の情報等が記憶されている。
【００６１】
報知部４４は、ポンプユニット１２の異常発生時に、制御部４１から送信された情報に基づいて、当該異常を外部に報知可能に形成されている。報知部４４は、情報を表示する表示部である。報知部４４は、例えば、点灯又は点滅することで情報を表示するランプ、音により外部に情報を報知する音響及び情報を表示するディスプレイを含む。
【００６２】
通信部４５は、外部と情報を送受信可能に構成される。例えば、通信部４５は、制御部４１から送信された情報を無線又は有線により外部に出力する。例えば、通信部４５は、外部端末９０に情報を送信する。換言すると、制御部４１は、通信部４５を介して、インターネット、ＬＡＮ（Local Area Network）等のネットワークや無線又は有線ケーブル等によりに外部端末９０に情報を送信し、外部端末９０に当該情報を表示させる。
【００６３】
端子部４８は、火災判断機器３０１によるポンプユニット１２の起動信号を受信する端子を複数有している。上述した通り、火災判断機器３０１は、例えば、信号線９９を介して制御盤１８に電気的に接続されるが、従来は火災判断機器３０１の識別が不要であったため、複数の火災判断機器３０１の信号線９９を一つの端子に電気的に接続していた。本実施形態では、端子部４８は、火災判断機器３０１によるポンプユニット１２の起動信号を識別するために、複数の端子を有している。
【００６４】
なお、例えば、外部端末９０に情報を表示させる機能は、外部端末９０のプロセッサが処理することで達成される。外部端末９０は、例えば、異常昇圧等に関する情報を表示する表示部である。また、ここで、外部端末９０は、例えば、ポンプ装置１から離れた場所にユーザが有する第１外部端末９１と、ユーザ以外の管理者、具体例としてポンプ装置１の製造メーカ、建造物を管理する管理センター、及び、消防署や防災センター等の外部機関等のポンプ装置１や消火設備１００を監督又は管理を行う管理者が有する第２外部端末９２と、を含む。なお、従来は端子部４８を介して有線により管理センター等へ通信を行っていた。この場合、例えば、２つの異なる端子を無電圧ａ接点とし、接点がＯＮとなった場合に過電流を通知しているため、圧力不足や漏電等の他の事象を通知するためには、区別したい事象の数だけ端子を設ける必要があった。
【００６５】
また、制御部４１は、以下の（１）乃至（３）の機能を有している。
【００６６】
（１）モータ２２の過電流を判断する機能。
【００６７】
（２）モータ２２の過電流が生じているときに、モータ２２を保護する機能。
【００６８】
（３）モータ２２の過電流が生じているときに、モータ２２に通電を行う機能。
【００６９】
次に、制御部４１が有する（１）乃至（３）の機能について説明する。  
（１）の機能は、検出したモータ２２に通電しているときの電流値と閾値を比較して、モータ２２に過電流が生じているか否かを判断する機能である。
【００７０】
（１）の機能の具体例を以下説明する。（１）の機能の具体例として、先ず、制御部４１は、モータ２２に通電しているときの電流値を検出する。そして、制御部４１は、検出した電流値と記憶部４３に記憶された複数の閾値とを比較する。そして、検出した電流値が複数の閾値のうち最も小さい第１閾値以上であった場合には、制御部４１は、モータ２２に過電流が生じていると判断する。また、制御部４１は、複数の閾値のそれぞれと比較し、検出した電流値が各閾値以上であるか否かを判断する。また、制御部４１は、報知部４４を制御し、音、光又は情報の表示によって、過電流の情報を周囲に警告する。さらに、制御部４１は、当該過電流の情報を第１外部端末９１及び第２外部端末９２へ当該情報を送信し、外部への警告を行う。
【００７１】
なお、過電流の情報は、例えば、記憶部４３に記憶されたポンプ装置１の識別番号、形式及び位置情報、過電流を検出した日時、警告内容である。警告内容とは、例えば、複数の閾値に応じた内容であり、例えば、過電流と判断したときの電流値、当該電流値に対応する閾値、及び、過電流と判断したときの電流値に基づいて想定されるポンプ２１やモータ２２の状態である。また、外部端末９０へ送信する過電流の情報のうち、警告内容は、過電流の電流値が超えた複数の閾値の中で最も値が高い閾値に対応する警告内容である。具体例として、検出した電流値が第２閾値以上である場合の警告の内容としては、例えば、検出した電流値、当該電流が第２閾値を超えた旨の情報、及び、ポンプ２１が完全に固着していると想定される、等といったような、ユーザ及び管理者がポンプユニット１２の状態を確認できる内容である。
【００７２】
（２）の機能は、（１）の機能でモータ２２にモータ２２が損傷する虞のある過電流が生じていると判断した場合であって、且つ、火災判断機器３０１によるポンプユニット１２の起動信号の発報がない場合、モータ２２を保護する機能である。ここで、損傷とは、例えば、過電流がモータ２２に生じ続けることによる焼損等である。
【００７３】
（２）の機能の具体例を以下説明する。（２）の機能の具体例として、先ず、制御部４１は、（１）の機能で、モータ２２に過電流が生じていると判断した場合に、モータ２２の過電流を確認する。例えば、制御部４１は、モータ２２に生じている過電流の電流値が、モータ２２が損傷する虞があり、モータ２２の保護が必要な電流値であるか否かを判断する。本実施形態においては、モータ２２の保護が必要な電流値とは、過電流と判断した電流値が第２閾値以上である場合であり、第２閾値よりも低い値の閾値の場合を除く例を用いて説明する。
【００７４】
例えば、制御部４１は、（１）の機能で判断したモータ２２の過電流が第２閾値未満であるか否かを判断する。制御部４１は、モータ２２の過電流の電流値が第２閾値未満である場合であって、且つ、火災判断機器３０１によるポンプユニット１２の起動信号の発報がない場合には、制御部４１は、モータ２２の損傷の虞がないとして、モータ２２への通電を継続する。次回以降、ポンプユニット１２を運転する指令があった場合には、モータ２２に通電を行い、ポンプユニット１２を運転させる。ここで、モータ２２に通電を行う指令とは、例えば、手動又はプログラム等による自動の指令の双方を含み、例えば、定期点検や維持運転等のポンプユニット１２を運転するための指令である。
【００７５】
制御部４１は、モータ２２の過電流の電流値が第２閾値未満以上である場合であって、且つ、火災判断機器３０１によるポンプユニット１２の起動信号の発報がない場合には、モータ２２の損傷の虞があるとして、モータ２２への通電を停止する。次回以降、過電流が解決していない限り、火災判断機器３０１によるポンプユニット１２の起動信号の発報がない場合には、ポンプユニット１２を運転する指令があった場合であっても、モータ２２への通電を行わない。
【００７６】
（３）の機能は、（１）の機能でモータ２２にモータ２２が損傷する虞のある過電流が生じていると判断した場合であっても、火災が発生していると判断した場合にモータ２２に通電を行う機能である。
【００７７】
（３）の機能の具体例を以下説明する。（３）の機能の具体例として、先ず、制御部４１は、（１）の機能でモータ２２にモータ２２が損傷する虞のある過電流が生じていると判断した場合であって、火災判断機器３０１から発報されたポンプユニット１２の起動信号を受信している場合、過電流のレベルのいずれであっても、モータ２２に通電を継続する。
【００７８】
さらに、制御部４１は、モータ２２に過電流が生じた場合であって、且つ、検出した電流値が第２閾値以上であった場合には、ポンプ２１の回転体が固着していると判断して、固着解除運転として、モータ２２の通電及び通電の停止を繰り返し行う。例えば、モータ２２の通電及び通電の停止は、モータ２２の電流値が第２閾値よりも低くなるか、又は、記憶部４３に予め記憶されたポンプ２１の固着を解消させる運転におけるモータ２２への通電及び停止の回数を超えるまで繰り返し行われ、第２閾値よりも低くなるか、又は、記憶部４３に予め記憶されたポンプ２１の固着を解消させる運転におけるモータ２２への通電及び停止の回数を超えた場合には、制御部４１は、モータ２２へ通電を継続して行う。
【００７９】
このように構成された消火設備１００に用いられるポンプ装置１によれば、制御部４１がモータ２２に通電したときの電流値及び記憶部４３に記憶された異常時にモータ２２に生じる電流値である閾値と比較することで、モータ２２に異常が生じているか否かを判断できる。また、制御部４１は、モータ２２に異常と判断したときであって、通電することで、モータ２２に損傷が生じる虞がある場合には、換言すると、第２閾値以上の電流値である他の閾値の電流値がモータ２２に流れた場合には、点検運転や維持運転等の運転を行わない。これにより、損傷の虞がある過電流がモータ２２に流れることで、モータ２２が損傷することや、モータ２２から出火することを防止できる。
【００８０】
また、制御部４１は、火災判断機器３０１からポンプユニット１２の起動信号が発報された場合、即ち、火災時においては、過電流がモータ２２に流れる場合であっても、放水手段２０１へ水を供給することを優先する。これらのように、ポンプ装置１は、通常時は、モータ２２の保護及び過電流による災害発生の防止を優先し、火災時にはモータ２２の保護よりも消火を優先することができる。
【００８１】
また、制御部４１は、モータ２２に生じた電流値が過電流である場合には、過電流の情報を報知部４４及び外部端末９０を介して警告することができる。このため、例えば、ユーザや管理者に、過電流が生じている旨及び過電流の状況によってはメンテナンスや修理の情報等を警告することができる。即ち、外部に異常状態及びその内容を報知することができることから、ポンプ装置１は、ポンプ２１の回転体の固着によって、火災時にポンプユニット１２の駆動ができないこと、及び、ポンプ２１の回転体の固着時におけるモータ２２への通電によりモータ２２が損傷することを防止できる。
【００８２】
また、例えば、制御部４１は、モータ２２の損傷の虞がないか、又は、少ない過電流、例えば第１閾値程度の過電流の場合には、運転可能としつつ、外部に対して警告を行うことから、検出した電流値と第１閾値に対応する情報として、モータ２２やポンプ２１の交換やメンテナンスの推奨時期を設定することで、ユーザや管理者のメンテナンス等の管理を容易とすることもできる。
【００８３】
さらに、記憶部４３に記憶された複数設けられた閾値のうち、最も高い値である第２閾値をユーザが変更できない構成とした。この構成とすることで、ポンプ２１の回転体が固着しているといった状態で通電することでモータ２２に過電流が生じ、モータ２２の損傷や火災時のポンプユニット１２の運転不可といった問題が発生することや、ユーザが誤った閾値を設定することを防止できる。
【００８４】
また、制御部４１は、過電流時における検出した電流値が第２閾値以上である場合に、ポンプ２１が固着していると判断し、ポンプ２１の固着解消運転として、モータ２２に通電及び通電の停止を繰り返し行う。これにより、万が一ポンプ２１が固着しているときであって、且つ、火災が発生したときに、自動でポンプ２１の固着を極力解消し、ポンプユニット１２の二次側に給水できる可能性を向上させることができる。
【００８５】
上述したように本発明の一実施形態に係るポンプ装置１によれば、損傷する虞のある過電流がモータ２２に生じていると判断した場合には、火災時のみモータ２２に通電する構成とすることでモータ２２の損傷を防止しつつ、火災時においてはポンプ２１の駆動を優先することができる。
【００８６】
（他の実施形態）
次に、本発明の他の実施形態に係るポンプ装置１を以下説明する。他の実施形態に係るポンプ装置１は、上述した一実施形態に係るポンプ装置１の制御部４１が有する（１）乃至（３）の機能に加えて、さらに、以下の（４）乃至（６）の機能を有する。
【００８７】
具体的には、記憶部４３には、さらに、特定の運転である点検運転を行うまでの所定の時間、及び、点検運転時におけるポンプユニット１２の評価を行う値が閾値として記憶されている。ここで、点検運転とは、ポンプユニット１２の駆動停止を伴う定期的なポンプユニット１２の点検である。ポンプユニットの点検運転は、例えば、複数設定される。よって、複数の点検運転を行うまでの所定の時間である閾値は、記憶部４３に複数記憶される。
【００８８】
具体例として、点検運転は、第１点検運転と、第２点検運転と、を含む。第１点検運転は、例えば、手動で行われる点検である。第１点検運転は、例えば、消火ポンプ装置に義務付けられた法定点検である。第１点検運転は、例えば、前回の第１点検運転から所定の時間経過したときに行うことが求められる。換言すると、一年に一回といったように、所定の期間毎に点検を行う回数が定められた法定点検である。または、第１点検運転は、例えば、前回の第１点検運転から、制御盤１８に通電された時間の積算値が所定の時間を経過したときに行うことが定められる。例えば、第１点検運転は、ユーザが入力装置４２を操作して第１点検運転の指令を入力する度行われる。例えば、第１点検運転は、ポンプユニット１２を所定の時間駆動し、締切り運転時の締切揚程、締切り運転時のモータ２２へ供給された電圧及び電流、定格負荷運転時の定格揚程、並びに、定格負荷運転時のモータ２２へ供給された電圧及び電流を検出する。また、第１点検運転時において、例えば、定格負荷運転時に自動開閉弁１５を開き、排水管１５ａを介して水を排水する。なお、第１点検運転の締切り運転の開始前及び終了後においても、自動開閉弁１５を開き、水を排水してもよい。
【００８９】
第２点検運転は、手動又は自動で行われる点検であり、例えば、自主点検や維持運転である。第２点検運転は、例えば、前回の第２点検運転からのポンプユニット１２の停止時間、より具体例としては、前回の第２点検運転からのモータ２２へ通電していない時間の積算時間が所定の時間を経過する前に手動で行うか、又は、同積算時間が所定の時間を経過したときに自動で行うことが求められる。例えば、第２点検運転は、ユーザが入力装置４２を操作してポンプユニット１２を駆動するか、又は、制御部４１がポンプユニット１２を駆動することで行われる。例えば、第２点検運転は、締切り運転時の締切揚程、締切り運転時のモータ２２へ供給された電圧及び電流を検出する運転である。なお、第２点検運転の締切り運転の開始前及び終了後において、自動開閉弁１５を開き、水を排水してもよい。
【００９０】
また、複数の点検運転を行うまでの所定の時間である複数の閾値は、第３閾値と、第４閾値と、第５閾値と、を含む。第３閾値は、前回の第１点検運転後から次の第１点検運転を行うまでのポンプユニット１２の時間として設定される。第４閾値は、前回の第２点検運転後から次回の第２点検運転を行うまでのポンプユニット１２の時間として設定される。
【００９１】
第５閾値は、各点検運転において検出される検出値の正常値として設定される。例えば、第５閾値は、ポンプユニット１２が正常時における締切り運転時の締切揚程、締切り運転時のモータ２２へ供給された電圧及び電流、定格負荷運転時の定格揚程、並びに、定格負荷運転時のモータ２２へ供給された電圧及び電流である。
【００９２】
また、記憶部４３は、例えば、複数の閾値のいずれかを書き換え不可として記憶する。例えば、記憶部４３は、第３閾値がポンプ装置１を製造したメーカで記憶された後、書き換えが不可に設定され、そして、第４閾値が入力装置４２で入力された値に書き換え可能に設定される。なお、記憶部４３の第３閾値及び第４閾値の書き換えに関する設定は、例えば、記憶部４３に記憶されたプログラム等を制御部４１が処理することで設定される。
【００９３】
記憶部４３には、例えば、各点検運転におけるポンプユニット１２の制御プログラム等が記憶されている。さらに、記憶部４３には、各点検運転の情報及び結果、並びに、点検運転の警告を送信する外部に設けられた外部端末９０の情報等が記憶されている。
【００９４】
また、制御部４１は、以下の（４）乃至（６）の機能を有している。
【００９５】
（４）ポンプユニット１２の第１点検運転を行い、外部に第１点検運転の状況を送信する機能。
【００９６】
（５）ポンプユニット１２の第２点検運転を行い、外部に第２点検運転の状況を送信する機能。
【００９７】
（６）点検運転の警告を行う機能。
【００９８】
次に、制御部４１が有する（４）乃至（６）の機能について説明する。  
（４）の機能は、入力装置４２により第１点検運転を行う指令が入力されたときに、ポンプユニット１２を所定の時間第１点検運転するとともに、ポンプユニット１２の運転により検出された検出値と第５閾値に基づいて、ポンプユニット１２が正常か否かを判断する機能である。また、（４）の機能は、第１点検運転の情報、及び、第１点検運転の結果等の第１点検運転の状況を外部端末９０に送信する機能である。
【００９９】
（４）の機能の具体例を以下説明する。（４）の機能の具体例として、先ず、制御部４１は、入力装置４２により第１点検運転を行う指令が入力されたか否かを判断する。そして、入力装置４２により第１点検運転を行う指令が入力されたと判断した場合には、制御部４１は、記憶部４３に記憶されたポンプユニット１２の制御プログラムに基づいて締切り運転及び定格負荷運転によりポンプユニット１２を所定の時間運転する。
【０１００】
そして、制御部４１は、締切り運転時に圧力検出器１３ｂで検出された締切揚程（圧力）、締切り運転時のモータ２２へ供給された電圧及び電流、定格負荷運転時に圧力検出器１３ｂで検出された定格揚程、並びに、定格負荷運転時のモータ２２へ供給された電圧及び電流を検出する。そして、制御部４１は、第５閾値と検出された各検出値とを比較し、検出値が正常値であるか否かを判断し、機器損傷の虞がある値、例えば電流が正常ではない場合にはモータ２２への通電を停止する。
【０１０１】
制御部４１は、第１点検運転の情報及び結果を記憶部４３に記憶する。第１点検運転の情報とは、例えば、カレンダー機能及び時計機能で検出した第１点検運転を行った日時、前回第１点検運転を行ったときから第１点検運転を行うまでにカウンタ機能でカウントした時間の積算値、及び、前回第１点検運転を行った日からの経過日数等である。また、第１点検運転の結果とは、第１点検運転中に検出された圧力、電圧及び電流等の各検出値、検出値が正常値であるか否かの判断結果等である。
【０１０２】
制御部４１は、第１点検運転の情報及び第１点検運転の結果を、通信部４５により外部端末９０へ送信する。具体例として、制御部４１は、第１外部端末９１及び第２外部端末９２へ第１点検運転の情報及び第１点検運転の結果を送信する。
【０１０３】
また、制御部４１は、第１点検運転を行うとき又は行った後に、前回第１点検運転を行ったときから第１点検運転を行うまでにカウンタ機能でカウントした前回の第１点検運転から経過した経過時間をリセットする。
【０１０４】
（５）の機能は、入力装置４２により第２点検運転を行う指令が入力されるか、又は、カウンタ機能でカウントしたポンプユニット１２の停止時間の積算値が第４閾値を超えたときに、ポンプユニット１２を所定の時間第２点検運転するとともに、ポンプユニット１２の運転により検出された検出値と第５閾値に基づいて、ポンプユニット１２が正常か否かを判断し、機器損傷の虞がある値、例えば電流が正常ではない場合にはモータ２２への通電を停止する機能である。また、（５）の機能は、第２点検運転の情報、及び、第２点検運転の結果等の第１点検運転の状況を外部端末９０に送信する機能である。
【０１０５】
（５）の機能の具体例を以下説明する。（５）の機能の具体例として、先ず、制御部４１は、入力装置４２により第２点検運転を行う指令が入力されたか否かの判断をする。入力装置４２により第２点検運転を行う指令が入力された場合には、制御部４１は、記憶部４３に記憶されたポンプユニット１２の制御プログラムに基づいて締切り運転によりポンプユニット１２を所定の時間運転する。
【０１０６】
また、入力装置４２により第２点検運転を行う指令が入力されていないと判断した場合には、前回の第２点検運転後にカウンタ機能でカウントしたポンプユニット１２の停止時間の積算値が第４閾値を超えたか否かの判断をする。前回の第２点検運転後にカウンタ機能でカウントしたポンプユニット１２の停止時間の積算値が第４閾値を超えたと判断した場合には、制御部４１は、記憶部４３に記憶されたポンプユニット１２の制御プログラムに基づいて締切り運転によりポンプユニット１２を所定の時間運転する。
【０１０７】
そして、制御部４１は、締切り運転時に圧力検出器１３ｂで検出された締切揚程（圧力）、並びに、締切り運転時のモータ２２へ供給された電圧及び電流を検出する。そして、制御部４１は、第５閾値と検出された各検出値とを比較し、検出値が正常値であるか否かを判断する。
【０１０８】
制御部４１は、第２点検運転の情報及び結果を記憶部４３に記憶する。第２点検運転の情報とは、例えば、カレンダー機能及び時計機能で検出した第２点検運転を行った日時、前回第２点検運転を行ったときから第２点検運転を行うまでにカウンタ機能でカウントした停止時間の積算値、及び、前回第２点検運転を行った日からの経過日数等である。また、第２点検運転の結果とは、第２点検運転中に検出された圧力、電圧及び電流等の各検出値、検出値が正常値であるか否かの判断結果等である。
【０１０９】
制御部４１は、第２点検運転の情報及び第２点検運転の結果を、通信部４５により外部端末９０へ送信する。具体例として、制御部４１は、第１外部端末９１へ第２点検運転の情報及び第２点検運転の結果を送信する。
【０１１０】
また、制御部４１は、第２点検運転を行うとき又は行った後に、前回第２点検運転を行ったときから第２点検運転を行うまでにカウンタ機能でカウントした停止時間の積算値をリセットする。
【０１１１】
（６）の機能は、点検運転に関する警告を行う機能であり、具体的には、点検運転を所定の時間行っていない場合に、点検運転を促す情報を外部に報知する機能である。
【０１１２】
（６）の機能の具体例を以下説明する。（６）の機能として、先ず、制御部４１は、手動で行う点検運転、具体例として、少なくとも、ユーザが変更できない第３閾値が設定された第１点検運転の前回第１点検運転を行ったときにポンプユニット１２を停止してから、カウンタ機能でカウントした経過した経過時間、及び、当該積算値及び第３閾値から求められる第１点検運転を行うまでの残り時間の少なくとも一方、好ましくは双方を求める。そして、制御部４１は、当該経過時間及び第１点検運転を行うまでの残り時間の少なくとも一方、好ましくは双方の情報を報知部４４に表示する。
【０１１３】
また、制御部４１は、前回第１点検運転を行ったときからカウンタ機能でカウントした経過時間が第３閾値を超えたか否かを判断する。前回第１点検運転を行ったときから、カウンタ機能でカウントした経過時間が第３閾値を超えた場合には、制御部４１は、第１点検運転が必要と判断する。制御部４１は、第１点検運転を行う旨の警告を報知部４４により表示することで、警告を行う。
【０１１４】
加えて、制御部４１は、第１点検運転を行う旨の警告及び記憶部４３に記憶されたポンプ装置１の識別番号、形式、位置情報を、少なくとも第２外部端末９２へ、好ましくは、第１外部端末９１及び第２外部端末９２へ当該情報を送信する。即ち、制御部４１は、ユーザ及び管理者に、第１点検運転を行う必要がある旨の警告と、第１点検運転を行うポンプ装置１の情報を送信する。
【０１１５】
なお、制御部４１が警告を行う警告先は、記憶部４３にあらかじめ記憶された、外部端末９０の情報に基づいて送信される。なお、制御部４１が警告を行う警告先は、一部がユーザによる書き換えが不可に設定される。本実施形態においては、警告先として少なくとも管理者の第２外部端末９２をユーザが書き換えることができないように設定される。
【０１１６】
このように構成されたポンプ装置１によれば、（４）乃至（６）の機能により、さらに、報知部４４又は外部端末９０に点検運転後のポンプユニット１２の停止時間の積算値が閾値を超えた場合に制御部４１が警告を表示させることで、点検運転を促すことができる。
【０１１７】
この効果を具体的に説明すると、ポンプ装置１は、手動で行われる第１点検機能を行った後、次回第１点検機能を行うまでの経過時間を積算する。そして、積算したポンプユニット１２の経過時間が第３閾値を超えた場合に、ユーザの第１外部端末９１及びメーカや管理機関等の管理者の第２外部端末９２へ積算した経過時間が第３閾値を超えた情報を送信する。これにより、ユーザ並びにメーカ及び管理機関等の管理者へ、所定の時間が経過しても第１点検運転が未実施であり、第１点検運転を要する状態であることが警告できる。即ち、ユーザ及び管理者が第１点検機能の実施の有無を把握できる。特に第１点検運転は、手動で行われる点検運転であることから、点検運転の実施を忘れる虞があるところ、ポンプ装置１の構成によれば、点検運転の実施を啓蒙すること、及び、管理者が点検運転の遵守を指示することができる。
【０１１８】
また、第１点検運転が法定点検運転のような義務化された運転である場合には、実施をユーザに通知できること、及び、管理者がユーザの管理又は監視を行うことができることから、点検運転を促すことができる。特に、ポンプ装置１が消火ポンプ装置である場合には、長時間の停止によりポンプ装置１が錆やスケール等によって固着し、火災時にポンプ装置１が起動できなくなることを抑制できる。また、ポンプ装置１が起動不可の状態となることを抑制できることから、過電流がモータ２２に流れることを防止できる。
【０１１９】
また、制御部４１は、第１点検運転及び第２点検運転の情報及び結果をユーザ及び管理者へ送信することから、ユーザ及び管理者が点検状況を把握できる。
【０１２０】
また、制御部４１は、入力装置４２により第２点検運転を行う指令が入力されるか、又は、前回の第２点検運転後にカウンタ機能でカウントしたポンプユニット１２の停止時間の積算値が第４閾値を超えた場合には、第２点検運転を行う。特に、入力装置４２により第２点検運転を行う指令が入力されなくても、前回の第２点検運転後にカウンタ機能でカウントしたポンプユニット１２の停止時間の積算値が第４閾値を超えた場合に第２点検運転を行うことで、法定点検等の第１点検運転よりも短い期間でポンプ装置１を運転することになる。これにより、ポンプ２１内に錆やスケール等が付着することを極力抑制できることから、ポンプユニット１２の寿命を向上できるとともに、火災時にポンプ装置１が故障していることを極力抑制できる。
【０１２１】
さらに、制御部４１は、第１点検運転及び第２点検運転等の点検運転が行われると、前回点検運転した後の経過時間又はポンプユニット１２の停止時間の積算値をリセットすることから、積算値のリセット忘れを防止できる。
【０１２２】
上述したように、本発明の他の実施形態に係るポンプ装置１によれば、上述した一実施形態に係るポンプ装置１の効果に加えて、点検運転を促すことができる。
【０１２３】
なお、本発明は上述した２つの実施形態に限定されない。例えば、上述した例では、検出された電流値が第２閾値以上であって、且つ、火災判断機器３０１からポンプユニット１２の起動信号が発報された場合に、モータ２２に通電及び通電の停止を繰り返し行う例を説明したがこれに限定されない。例えば、検出された電流値が第２閾値以上であった場合であって、且つ、火災判断機器３０１からポンプユニット１２の起動信号が発報されていないときに、ポンプ２１の固着を解消させる運転としてモータ２２への通電及び通電の停止を繰り返し行う構成としてもよい。このような構成とした場合には、ポンプ２１の固着を解消させる運転を行うとともに、モータ２２の電流値を検出し、検出した電流値が第２閾値よりも下がるか、又は、記憶部４３に予め記憶されたポンプ２１の固着を解消させる運転におけるモータ２２への通電及び停止の回数を超えたら、ポンプ２１の固着を解消させる運転を停止する構成としてもよい。モータ２２への通電及び停止の回数を設定することで、固着した状態で通電時に発生する過電流によりモータ２２が損傷することを防止できる。
【０１２４】
また、上述した例では、ポンプ装置１は、カレンダー機能、時計機能及びカウンタ機能を有する構成を説明したがこれに限定されない。例えば、カレンダー機能は、バッテリの電力消費量が増加し、また、ポンプ装置１のコストアップとなることから、ポンプ装置１は、カレンダー機能を有さない構成としてもよい。このようなポンプ装置１とした場合には、上述の過電流の情報、点検運転の情報及び結果等については、経過日数や点検日等については含めずに、時計機能及びカウンタ機能により求めた経過時間や停止時間等の時間の情報だけとすればよい。また、同様に、時計機能を有さずに、カウンタ機能によって、ポンプユニット１２の停止時間の積算値のみを求める構成としてもよい。さらに、時計機能及びカウンタ機能を有さず、カレンダー機能のみを設け、停止時間の代わりに停止日数を積算するとともに、点検運転の情報及び結果は、経過日数、停止日数及び点検日といったように、日付だけの情報としてもよい。
【０１２５】
また、上述した例では、消火設備１００としてスプリンクラー２１１が設けられる構成を説明したが、スプリンクラー２１１は、スプリンクラヘッド２１１ｂに閉塞弁が設けられ、火災時に開放する構成であっても、常時開放するいわゆる開放型であってもよい。例えば、開放型のスプリンクラヘッド２１１ｂを用いる場合には、開閉弁をスプリンクラー２１１に設け、そして、第１点検運転及び第２点検運転を手動により行い、点検運転を行うときに開閉弁を閉じる構成とすればよい。また、消火設備１００はスプリンクラー２１１ではなく、泡消火設備や水噴霧消火設備を用いる構成であってもよい。
【０１２６】
また、上述した例では、自動開閉弁１５を設け、開閉することで排水口１５ｂに排水可能な例を説明したが、例えば、自動開閉弁１５の開閉は、ウォーターハンマー防止のために、徐々に開度を増加又は減少させる開閉としてもよい。
【０１２７】
また、上述した例では、第１点検運転である定期点検を行う経過時間をカウンタ機能でカウントすることで求める構成を説明したが、経過時間のカウント方法は適宜設定可能である。例えば、法令で定められた期間内に定期点検を確実に行えれば経過時間は、制御部４１への通電時間の積算値で推定してもよく、また、カレンダー機能によって日数をカウントする構成であってもよい。
【０１２８】
また、上述した例に加えて、予め締切時の電流値を記憶部４３に記憶しておき、ポンプ２１の回転体が固着している場合には、検出されたモータ２２の電流値が記憶部４３に記憶された電流値よりも大きな値となった場合に、ポンプ２１が固着していると判断する機能を有していてもよい。また、例えば、ポンプ２１の固着等の不具合を判断する機能として、自動開閉弁１５を開放状態で運転し、徐々に自動開閉弁１５を閉じるとともに、自動開閉弁１５を閉じた状態で圧力を検出し、予め記憶部４３に記憶された締切時の圧力よりも検出した圧力が低い場合には、ポンプ２１の固着を判断する構成であってもよい。即ち、自動開閉弁１５が閉じられていれば、ポンプ２１の駆動に伴いポンプユニット１２の二次側の圧力が上昇するため、ポンプ２１の駆動の有無が確認できる。
【０１２９】
また、上述した例では、記憶部４３に記憶された第３閾値が書き換え不可に設定される例を説明したがこれに限定されない。例えば、前回の第２点検運転後から次回の第２点検運転を行うまでのポンプユニット１２の時間として設定された第４閾値を、例えば、メーカが所定の期間で必要と考える第２点検運転の回数として設定し、予め記憶部４３に書き換えできないように記憶されていてもよい。
【０１３０】
また、上述した例では、流水検知器３１４は配管５０１に設ける例を説明したが、流水検知器３１４はポンプユニット１２の二次側であれば良く、ポンプ装置１に設ける構成であっても良い。
【０１３１】
また、上述した例では、流水検知器３１４は、所定の流量又は流速の水が流れた場合に、内部に設けられたスイッチが作動し、制御盤１８にポンプユニット１２の起動信号を発報する例を説明したが、これに限定されない。例えば、所定の流量又は流速を差圧等により検出し、制御盤１８に流量値の信号を送り、記憶部４３に予め記憶された流量の閾値を超えた場合にポンプユニット１２を起動する構成であっても良い。
【０１３２】
また、上述した例では、複数の電流値の閾値を記憶させる例を説明したが、モータ２２に供給する電流値が前記閾値を超えた場合に警告を行い、閾値毎に異なる警告を行う構成としてもよい。これにより、過電流の程度が明確になり、モータ２２が損傷する前に対策を講じることができる。
【０１３３】
また、上述した例では、火災判断機器３０１からポンプユニット１２の起動信号が発報された場合、過電流がモータ２２に流れる場合であっても、放水手段２０１へ水を供給することを優先する例を示したが、火災が発生していない場合でも起動信号を送る可能性が高い火災判断機器３０１に対しては、過電流によるモータ２２の保護を行う構成としてもよい。例えば、火災判断機器３０１を、火災が発生していない場合に起動信号を送る可能性が高いものと、火災が発生していない場合に起動信号を送る可能性が低いものとに分け、火災が発生していない場合に起動信号を送る可能性が低い火災判断機器３０１から制御盤１８へポンプユニット１２の起動信号が送られ、過電流がモータ２２に流れた場合、モータ２２への通電を停止し保護を行い、制御部４１により外部へ警告を行う構成としてもよい。また、例えば、火災判断機器３０１からの起動信号が、圧力検出器３３のみ、又は、流水検知器３１４のみ、又は、圧力検出器３３及び流水検知器３１４両方のいずれかであり、過電流がモータ２２に流れた場合、モータ２２への通電を停止し保護を行い、制御部４１により外部へ警告を行う構成としてもよい。これにより、火災発生の可能性の低い場合において、過電流によるモータや制御盤の損傷や、過電流による火災の発生を防止することができると共に、過電流の発生を警告することでユーザや管理者へ注意を促すことができる。
【０１３４】
また、上述した例では、非火災時でも起動信号を送る可能性が高い火災判断機器３０１の起動信号によるポンプユニット１２の起動に対し過電流保護を行う構成を説明したが、更に、どの火災判断機器３０１からの起動信号によりポンプユニット１２が起動したかを警告することで、非火災時の起動信号発報の原因特定に活かすことができる。上述した例では、圧力検出器３３や流水検知器３１４は信号線９９を介して制御盤１８に繋げる構成を説明したが、例えば、それぞれの信号線９９を異なる端子部４８に繋げ、どの端子からの起動信号によりポンプユニット１２が起動したかを記憶部４３で記憶することで、圧力検出器３３と流水検知器３１４の起動信号を識別可能となり、起動信号の発生元を特定することができる。例えば、圧力検出器３３や流水検知器３１４が起動信号を無線通信で行う場合には、起動信号に圧力検出器３３や流水検知器３１４の識別情報を付加することで、起動信号の発生元を特定することができる。
【０１３５】
また、上述した例では、非火災時でも起動信号を送る可能性が高い火災判断機器３０１の起動信号によるポンプユニット１２の起動に対し過電流保護を行う構成を説明したが、更に、モータ２２への通電及び停止を繰り返す固着防止運転を組み合わせても良い。例えば、モータ２２の通電及び通電の停止は、モータ２２の電流値が記憶部４３に予め記憶された閾値よりも低くなるか、又は、記憶部４３に予め記憶されたポンプ２１の固着を解消させる運転におけるモータ２２への通電及び停止の回数を超えるまで行われ、制御部４１は、モータ２２の電流値が閾値よりも低くなる場合にはモータ２２へ通電を継続し、予め記憶された通電及び停止の回数を超えてもモータ２２の電流値が閾値よりも低くならない場合にはモータ２２へ通電を停止する。これにより、非火災時でも起動信号を送る可能性が高い火災判断機器３０１の起動信号に対しても、できる限り過電流を解消し、ポンプユニット１２を起動することができる。更に、制御部４１は、通電及び停止により過電流が解消したか否かを外部へ警告することで、固着等が解消したか否かを外部へ伝えることができ、緊急度合いの把握や不具合の原因特定に活かすことができる。
【０１３６】
また、上述した例では、圧力検出器３３をポンプ装置１に設ける例を説明したが、ポンプユニット１２の二次側であり、且つ逆止弁１３ａの二次側であれば良く、配管５０１に設ける構成であっても良い。尚、圧力検出器３３を圧力タンク１４に設けた場合、圧力検出器３３は流水の影響を受けにくいことから、より安定し精度の高い圧力検出が可能である。
【０１３７】
また、上述した例では、圧力検出器３３を１つ設ける例を説明したが、圧力検出器３３をタンク３１へ複数並列に設ける構成としても良い。例えば、図５に示すように、タンク３１に圧力検出器３３と異なる配管を介して圧力検出器３４を取り付ける構成であっても良い。これにより、砂等の異物による目詰まりで圧力検出器３３が発報したか否かを判断することができる。例えば、圧力検出器３３からのみ圧力の低下を検出し制御盤１８へポンプユニット１２の起動信号を送った場合には、目詰まりが発生したと判断しモータ２２への通電は行わず、圧力検出器３３及び圧力検出器３４から制御盤１８へポンプユニット１２の起動信号を送った場合には、火災が発生したと判断しモータ２２へ通電を行う構成としてもよい。これにより、火災時以外の火災判断機器３０１によるポンプユニット１２の起動を避けることができる。更に、モータ２２へ通電しなかった情報を外部へ警告することにより、目詰まり等による圧力検出器３３又は圧力検出器３４の不具合を早期に発見することができる。
【０１３８】
また、上述した例では、電流の閾値を有する構成を記載したが、更に圧力の閾値を複数設けることで、非火災時に“火災判断機器３０１により制御盤１８へポンプユニット１２の起動信号が発報された情報”が防災センター等へ送られることを、できる限り抑制することができる。例えば、圧力の閾値において、最も低い圧力の閾値を下回った場合に起動信号を発報し、それ以外の閾値を下回った場合に起動信号を発報せず警告を行う構成としても良い。これにより、配管の漏水や異物の目詰まりによる緩やかな圧力低下をユーザや管理者に警告することができ、圧力低下により制御盤１８へポンプユニット１２の起動信号が入る前に異常を確認し対応することができる。また、複数の閾値と圧力検出器３３が検出した圧力がいつ一致したかを記憶部４３に記憶し、制御盤１８に表示するか、外部へ警告することで、ユーザや管理者がその履歴を参照することができ、ユーザや管理者が圧力の低下傾向から漏水等の程度把握や原因特定に活かすことができる。
【０１３９】
また、上述した例では、“火災判断機器３０１により制御盤１８へポンプユニット１２の起動信号が発報された情報”を、端子部４８を介して送信する例を示したが、これに限定されない。例えば、前述した情報を、通信部４５を介して送信することで、より細かな状況を伝えることができると共に、使用する端子の数を減らすことができる。
【０１４０】
また、上述した例では、補助加圧装置１０１を有する構成を説明したがこれに限定されない。補助加圧装置１０１が無い場合には、配管からの漏水やタンク内の空気の溶け込みにより圧力が低下した場合、圧力検出器３３が火災判断機器３０１として制御盤１８へポンプユニット１２の起動信号を送り、火災ではないにも関わらずポンプユニット１２を起動してしまう虞がある。この場合、火災判断機器３０１の起動信号によりポンプユニット１２が起動しているため、手動でポンプユニット１２を停止させる必要があった。これを回避するため、制御盤１８に複数の圧力の閾値を更に記憶させ、圧力検出器３３が検出した圧力が、所定の圧力の閾値を下回った場合にモータ２２へ通電し、配管内の圧力が上昇した後、圧力検出器３３が検出した圧力が所定の閾値よりも高い閾値を超えた場合にモータ２２への通電を自動で停止する構成としても良い。ここで、所定の閾値とは、例えば補助起動圧力と同じ値として設定される。また、所定の閾値よりも高い閾値とは、例えば補助停止圧力と同じ値として設定される。これにより、補助加圧装置１０１が無くとも配管の漏水やタンク内の空気の溶け込みによる圧力の低下を防ぐ、圧力維持運転を行うことができる。更に、火災判断機器３０１の一つである圧力検出器３３から制御盤１８へポンプユニット１２の起動信号が発報され、モータ２２への通電を行った場合において、圧力維持運転が行われたことを防災センター等の外部へ送信するか、送信自体を行わないことで、防災センター等が火災と誤認することを防ぐことができる。また、ポンプユニット１２の起動頻度が増えることで、固着等による過電流の発生を少なくすることができる。また、圧力維持運転が行われたことを外部へ送信した場合、ユーザや管理者はポンプユニット１２の圧力維持運転の頻度を把握することができ、頻度が高い場合には漏水の可能性が高い等、不具合の原因特定に活かすことができる。更に、圧力維持運転中であり、圧力検出器３３により検出した圧力が所定の閾値以上の場合には火災が発生していないと判断し、モータ２２の電流値が閾値よりも高い場合にモータ２２への通電を停止させる構成としても良い。これにより、圧力維持運転中の過電流によるモータ２２の損傷や発火等を防止することができる。尚、上述した圧力の所定の閾値はポンプ装置１が設置される現場毎に異なり、スプリンクラーや消火栓の仕様流量により異なる。このため、消火活動が行われるときに想定される流量とポンプ装置１の揚水性能から、圧力の所定の閾値を現場毎に決定することができる。
【０１４１】
また、上述した例では、補助加圧装置１０１を有さず、制御盤１８に複数の圧力の閾値を更に記憶させる例を説明したがこれに限定されない。例えば、更に補助停止圧力まで回復すると想定される運転継続時間の閾値を記憶させる構成としても良い。即ち、圧力検出器３３が検出した圧力が、所定の閾値を下回る場合にモータ２２へ通電し、圧力維持運転が、あらかじめ記憶部４３に記憶された時間の閾値以上の時間継続された場合に、モータ２２への通電を停止する構成としても良い。これにより、補助加圧装置１０１が無くとも圧力維持運転を行うことができる。なお、所定の閾値とは、例えば補助起動圧力と同じ圧力として設定される。また、例えば、運転継続時間の閾値の代わりに、制御部４１にタイマーを電気的に接続し、このタイマーによって設定されてもよい。
【０１４２】
また、上述した例では、補助加圧装置１０１が無く制御盤１８に複数の圧力の閾値を更に記憶させ圧力維持運転を行う例を説明したが、この場合は圧力維持運転により流水検知器３１４が流水を検知する虞がある。このため、圧力検出器３３と流水検知器３１４の起動信号を識別可能な構成とし、圧力維持運転中に圧力検出器３３により検出した圧力が任意の閾値以上であれば、流水検知器３１４が流水を検知しても火災と判断せず、流水検知器３１４からの起動信号を受け付けない構成としても良い。
【０１４３】
これにより、漏水だけでなく、補助加圧装置１０１の不適切な設定による流水検知器３１４の誤検知も抑制することができる。尚、上述した圧力の任意の閾値はポンプ装置１が設置される現場毎に異なり、スプリンクラーや消火栓の仕様流量により異なる。このため、消火活動が行われるときに想定される流量とポンプ装置１の揚水性能から、圧力の任意の閾値を決定することができる。
【０１４４】
また、上述した例では、補助加圧装置１０１が無く制御盤１８に複数の圧力の閾値を更に記憶させる例を説明したが、圧力検出器３３が検出した圧力が最も低い圧力の閾値を下回る場合にはモータ２２への通電を継続し、配管内の圧力が上昇した後も、モータ２２への通電を自動では停止しない構成としても良い。即ち、圧力検出器３３が検出した圧力が最も低い圧力の閾値を下回る場合は、火災が発生したと判断し、配管内の圧力が上昇してもポンプユニット１２を停止させない。更に、上述した例では、圧力検出器３３が検出した圧力が最も低い圧力の閾値と最も高い圧力の閾値以外を下回る場合にモータ２２へ通電する例を説明したが、ポンプユニット１２の起動に伴い配管内の圧力は上昇するため、このままでは圧力検出器３３が検出した圧力が最も低い圧力の閾値まで下がることにより火災が発生したと判断することができない。このため、例えばタイマーを用いて数十秒間モータへの通電を遅らせる構成にすることで、最も低い圧力の閾値まで配管内の圧力が急速に下がるかどうかがわかり、火災による圧力低下かどうかを判断することができる。更に、圧力検出器３３が検出した圧力が最も低い圧力の閾値を下回る場合には、“火災の理由で火災判断機器３０１により制御盤１８へポンプユニット１２の起動信号が発報された情報”を防災センター等の外部へ送信すると共に、過電流が発生したとしてもモータ２２への通電を停止せず継続する構成としても良い。また、圧力検出器３３が検出した圧力が最も低い圧力の閾値以外では過電流保護を行い、圧力検出器３３が検出した圧力が最も低い圧力の閾値では過電流保護を行わない構成とすることで、漏水等による圧力低下時には過電流を防止しつつ配管の圧力を回復させると共に、起動頻度が増えるため固着等が防止でき、火災時には過電流保護よりも消火活動を優先した運転を行うことができる。
【０１４５】
また、上述した例では制御盤１８が端子部４８を有する構成を説明したが、端子部４８が複数の異なる役割を持つ端子を有し、異なる火災判断機器３０１からの起動信号を異なる端子で受けることで、火災判断機器３０１からの起動信号を識別することができる。例えば、火災判断機器３０１を、火災が発生していない場合に起動信号を送る可能性が高いものと、火災が発生していない場合に起動信号を送る可能性が低いものとに分け、それぞれ異なる端子へ信号線９９等を介して火災判断機器３０１に繋げることができる。これにより、例えば、圧力検出器３３や流水検知器３１４等の、火災が発生していない場合に起動信号を送る可能性が高い火災判断機器３０１からの起動信号によるポンプユニット１２の起動に対しては、過電流発生時にモータ２２への通電を停止し、モータ２２の損傷や発火を防止することができる。また、消火栓用手動起動装置３１２や遠隔起動装置３１３等の、火災が発生していない場合に起動信号を送る可能性が低い火災判断機器３０１からの起動信号によるポンプユニット１２の起動に対しては、過電流発生時であってもモータ２２への通電を継続し、できる限り消火活動を行うことができる。
【０１４６】
また、上述した例ではモータ２２に通電したときに過電流と判断する電流値を閾値として記憶部４３に記憶する例を説明したが、過電流と判断するまでの時間の閾値を更に設ける構成としても良い。例えば、時間の閾値をモータ２２の始動電流が発生する時間より長くすることで、始動電流では検知せず固着等による過電流のみを検知することができる。
【０１４７】
また、上述した例では、火災判断機器３０１からの起動信号によりポンプユニット１２が起動した後、手動でポンプユニット１２を停止させる構成を説明したが、これに限定されない。例えば、管理センター等の外部から制御盤１８へポンプユニット１２の停止信号を送ることにより、モータ２２への通電を停止し起動信号を解除させても良い。これにより、火災判断機器３０１からの起動信号が火災によるものではないと判明した場合に、できる限り早くポンプユニット１２を停止させることができ、過電流等発生時にモータや制御盤の損傷や発火を防止することができる。また、管理センター等の外部からの停止信号によるモータ２２への通電の停止は、モータや制御盤の損傷や発火の虞のある不具合が発生している場合にのみ行う構成であっても良い。これにより、管理センター等からの停止信号の誤送信に対し、ポンプユニット１２の意図しない停止を極力減らすことができる。また、管理センター等の外部からの停止信号によるモータ２２への通電の停止は、非火災時でも起動信号を送る可能性が高い火災判断機器３０１の起動信号によりポンプユニット１２を起動した場合に限定しても良い。これにより、火災発生の可能性の低い場合において、過電流によるモータや制御盤の損傷や発火を防止することができる。
【０１４８】
また、上述した例では、点検運転の警告は、第１点検運転のみ行う構成を説明したがこれに限定されない。例えば、第２点検運転についても手動にて行う構成とし、第２点検運転を行った後ポンプユニット１２の停止時間の積算値が第４閾値を超えたときに、（６）の機能により、制御部４１が少なくともユーザの第１外部端末９１へ、好ましくは第１外部端末９１及び第２外部端末９２へ、第２点検運転を行うことを要する旨の警告を行う構成としてもよい。
【０１４９】
また、上述した例では、点検運転として第１点検運転及び第２点検運転を含む例を説明したがこれに限定されず、点検運転は一つのみであってもよく、また、３以上の点検運転を含む構成であってもよい。また、特定の運転は点検運転に限定されず、また、手動で行う特定の運転を少なくとも一以上有するのであれば、特定の運転は自動による運転を含んでいても勿論よい。例えば、点検運転は、さらに第３点検運転を含む構成であってもよい。具体例として、第３点検運転は、外部端末９０から点検運転を開始する指令が送信されると、通信部４５が当該指令を受信し、制御部４１がポンプユニット１２を駆動する運転である。
【０１５０】
また、上述した例では、報知部４４及び外部端末９０へ点検運転の情報及び結果、並びに、警告を表示又は送信する構成を説明したがこれに限定されず、他の機器に警告を行う構成であってもよい。即ち、点検運転についての情報を、外部へ伝達可能であれば、その態様は適宜設定可能である。
【０１５１】
また、上述した例では、第２点検運転時に締切り運転を行う構成を示したが、これに限定されない。例えば、図６に示すように、分岐管（排水管）１５aに流量を検出可能な流量検出器６１を設け、分岐管１５ａの流量を検出する構成としても良い。このような構成とすることで、流量検出器６１により流量を検知し、所定の流量になるよう自動開閉弁１５を開閉することができ、所定の流量における揚程、並びに、所定の流量におけるモータ２２へ供給された電圧及び電流を検出することができる。
【０１５２】
また、上述した例では、第５閾値は、ポンプユニット１２が正常時における締切り運転時の締切揚程、締切り運転時のモータ２２へ供給された電圧及び電流、定格負荷運転時の定格揚程、並びに、定格負荷運転時のモータ２２へ供給される電圧及び電流としたが、これに限定されない。即ち、第５閾値は、締切り運転時、及び、定格負荷運転時に限定されない。例えば、第５閾値は、ポンプユニット１２が正常時における所定の流量で運転した場合の揚程、所定の流量で運転した場合のモータ２２へ供給された電圧及び電流としても良い。
【０１５３】
また、上述した例では、第５閾値によりポンプユニット１２が正常か否かを判断する構成としたが、第５閾値と異なる低い第６閾値を更に設けても良い。このような構成とする場合には、例えば、第５閾値は、ポンプユニット１２が異常であるときに検出される値に設定され、そして、第６閾値は、点検運転は継続するが、将来的に異常となる虞のある値、換言すると、第５閾値よりも前記ポンプユニットの運転状況より正常である値に近く、例えば、電流に対しては第５閾値よりも小さい値に設定される。そして、制御部４１は、検出された検出値が第５閾値を満たした場合には、ポンプユニット１２が正常でなく、異常であると判断し、ポンプユニット１２を停止させる。また、制御部４１は、検出された検出値が第６閾値を満たさないか、又は、第６閾値を満たすとともに第５閾値を満たさない場合には点検運転を継続し、点検運転の結果等の点検運転の状況を外部端末９０に送信しても良い。また、第６閾値を満たす場合には、報知部４４及び外部端末９０へ第６閾値を超えたことを示す情報、及び警告を表示し送信しても良い。例えば、圧力検出器３３は、砂等の異物により検出部や検出部の一次側配管が目詰まりした場合や、ポンプユニット１２の二次側の配管から水が漏れていた場合に、圧力が徐々に低下し所定の圧力以下となり、制御盤１８へポンプユニット１２の起動信号を送る虞がある。例えば、流水検知器３１４は、ポンプユニット１２の二次側の配管から水が漏れている場合に流水を検知し、制御盤１８へポンプユニット１２の起動信号を送る虞がある。第６閾値を設けることにより、点検運転を継続しつつ、ポンプユニット１２に異常が発生する前にユーザや管理者へ警告することができる。
【０１５４】
即ち、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【０１５５】
１…ポンプ装置、１１…ベース、１２…ポンプユニット、１３…吐出管、１３ａ…逆止弁、１３ｂ…圧力検出器、１４…圧力タンク、１５…自動開閉弁、１５ａ…分岐管（排水管）、１５ｂ…排水口、１６…温度検出器、１７…呼水槽、１７ａ…配管、１７ｂ…逃がし管、１８…制御盤、２１…ポンプ、２１ａ…吸込口、２１ｂ…吐出口、２２…モータ、３１…タンク、３２…圧力計、３３…圧力検出器、３４…圧力検出器、４１…制御部、４２…入力装置、４３…記憶部、４４…報知部、４５…通信部、４６…制御基板、４７…筐体、４８…端子部、９０…外部端末、９１…第１外部端末、９２…第２外部端末、９９…信号線、１００…消火設備、１０１…補助加圧装置、１１１…補助ポンプユニット、１１２…圧力タンク、１１３…圧力検出器、１１４…呼水槽、１１５…制御盤、１２１…補助モータ、１２２…補助ポンプ、１２３…連結管、１３１…記憶部、１３２…制御部、２０１…放水手段、２１１…スプリンクラー、２１１ａ…配設管、２１１ｂ…スプリンクラヘッド、２１２…消火栓、２１２ａ…消火栓箱、２１２ｂ…ホース、２１２ｃ…ノズル、２１３…連結送水管、３０１…火災判断機器、３１１…火災報知器、３１２…消火栓用手動起動装置、３１３…遠隔起動装置、３１４…流水検知器、３１５…消火栓用連動装置、４０１…給水源、５０１…配管。
【図１】
2020133473.tif 000003
【図２】
2020133473.tif 000004
【図３】
2020133473.tif 000005
【図４】
2020133473.tif 000006
【図５】
2020133473.tif 000007
【図６】
2020133473.tif 000008